(57)【要約】【課題】  接続先が限定されているネットワーク接続システムにおいて、端末側でネットワークアドレスが変更された場合に、ホスト側に登録されている接続先ネットワークアドレスを自動的に変更することができるネットワーク接続システムを提供する。【解決手段】  端末側のネットワークアドレスを変更した場合、端末側は旧ネットワークアドレスで受信したデータを新ネットワークアドレスでホストに送信する。ホスト側では、照合部１０３においてデータ記憶部１０２の送信データテーブルにあるデータを照合し、一致した場合、接続先テーブル部１０４に登録されている旧ネットワークアドレスを新ネットワークアドレスに変更する。【選択図】  図１
2005204228.tif 000002
【特許請求の範囲】
【請求項１】
ネットワーク端末機器のネットワークアドレスを予め格納する接続先テーブルと、ネットワーク上で送受信するためのデータを作成するデータ作成部と、ネットワークを介して送信された送信データを記憶する送信データ記憶部と、上記接続先テーブルにネットワークアドレスが格納されているネットワーク端末機器のみをネットワークを介して接続する接続制御部と、を有するネットワーク機器と、ネットワークを介して上記ネットワーク機器より受信したデータを記憶する受信データ記憶部を有するネットワーク端末機器とがネットワークを介して接続されるネットワーク接続システムであって、
上記ネットワーク端末機器側では、
ユーザがネットワーク端末機器のネットワークアドレスを変更すると、ユーザからの指示に従って上記受信データ記憶部に記憶している受信データ、及び変更後のネットワークアドレスを上記ネットワーク機器に送信し、
上記ネットワーク機器側は、
上記ネットワーク端末機器より送信されてきた上記受信データ、及びネットワークアドレスを上記送信データ記憶部、及び上記接続先テーブルのデータと照合し、ネットワークアドレスのみが異なる場合は上記ネットワーク端末機器のネットワークアドレスが変更されたと判断し、上記接続先テーブルに格納されているネットワークアドレスの書き換えを行う、
ことを特徴とするネットワーク接続システム。
【請求項２】
ネットワーク端末機器のネットワークアドレスを予め格納する接続先テーブルと、ネットワーク上で送受信するためのデータを作成するデータ作成部と、ネットワークを介して送信された送信データを記憶する送信データ記憶部と、上記接続先テーブルにネットワークアドレスが格納されているネットワーク端末機器のみをネットワークを介して接続する接続制御部と、を有するネットワーク機器と、ネットワークを介して上記ネットワーク機器より受信したデータを記憶する受信データ記憶部と、自機器のネットワークアドレスが変更されたことを検出するアドレス変更検出部と、を有するネットワーク端末機器とがネットワークを介して接続されるネットワーク接続システムであって、
上記ネットワーク端末機器側では、
上記アドレス変更検出部にてネットワークアドレスが変更されたことを検出したとき、上記受信データ記憶部に記憶している受信データを、変更されたネットワークアドレスと共に上記ネットワーク機器へ送信し、
上記ネットワーク機器側では、
上記ネットワーク端末機器より送信されてきた上記受信データ、及びネットワークアドレスを上記送信データ記憶部、及び上記接続先テーブルのデータと照合し、ネットワークアドレスのみが異なる場合は上記ネットワーク端末機器のネットワークアドレスが変更されたと判断し、上記接続先テーブルに格納されているネットワークアドレスの書き換えを行う、
ことを特徴とするネットワーク接続システム。
【請求項３】
請求項１または請求項２記載のネットワーク接続システムにおいて、
上記ネットワークアドレスは、ＩＤもしくは、識別情報である、
ことを特徴とするネットワーク接続システム。
【請求項４】
請求項１または請求項２記載のネットワーク接続システムにおいて、
上記ネットワークアドレスは、ＩＰアドレスである、
ことを特徴とするネットワーク接続システム。
【請求項５】
請求項１または請求項２記載のネットワーク接続システムにおいて、
上記ネットワークアドレスは、電子メールアドレスである、
ことを特徴とするネットワーク接続システム。
【請求項６】
請求項１ないし請求項５のいずれか１項に記載のネットワーク接続システムにおいて、
上記ネットワーク機器と上記ネットワーク端末機器との間のデータの送受信は、電子メールにより行う、
ことを特徴とするネットワーク接続システム。
【請求項７】
請求項１ないし請求項５のいずれか１項に記載のネットワーク接続システムにおいて、
上記ネットワーク機器と上記ネットワーク端末機器との間のデータの送受信は、ファイル転送により行う、
ことを特徴とするネットワーク接続システム。
【請求項８】
請求項１ないし請求項５のいずれか１項に記載のネットワーク接続システムにおいて、
上記ネットワーク機器と上記ネットワーク端末機器との間のデータの送受信は、ハイパーテキスト言語で記述されたホームページを介したデータ転送により行う、
ことを特徴とするネットワーク接続システム。
【請求項９】
請求項１ないし請求項８のいずれか１項に記載のネットワーク接続システムにおいて、
上記データ作成部で作成されるデータは、動画像データである、
ことを特徴とするネットワーク接続システム。
【請求項１０】
請求項１ないし請求項８のいずれか１項に記載のネットワーク接続システムにおいて、
上記データ作成部で作成されるデータは、静止画像データである、
ことを特徴とするネットワーク接続システム。
【請求項１１】
請求項１ないし請求項８のいずれか１項に記載のネットワーク接続システムにおいて、
上記データ作成部で作成されるデータは、音声データである、
ことを特徴とするネットワーク接続システム。
【請求項１２】
請求項１ないし請求項８のいずれか１項に記載のネットワーク接続システムにおいて、
上記データ作成部で作成されるデータは、テキストデータである、
ことを特徴とするネットワーク接続システム。
【請求項１３】
請求項１ないし請求項８のいずれか１項に記載のネットワーク接続システムにおいて、
上記データ作成部で作成されるデータは、動画像データ、静止画像データ、音楽データ、テキストデータのうちの２つ以上の組み合わせである、
ことを特徴とするネットワーク接続システム。
【請求項１４】
請求項９または請求項１０記載のネットワーク接続システムにおいて、
上記画像データは、データ作成時に画像の一部に認証用のデータを付加したデータである、
ことを特徴とするネットワーク接続システム。
【発明の詳細な説明】
【技術分野】
【０００１】
本発明は、データの送受信を伴うネットワーク接続システムに関するものであり、特に、ネットワークセキュリティを高めるために接続先を限定したネットワーク機器において、接続先のネットワークアドレスが変更された場合の接続先の変更に関するものである。
【背景技術】
【０００２】
近年、監視カメラ等によるセキュリティ管理システムの導入がなされ、ネットワークを介して遠隔地にある携帯機器に監視カメラで撮影した映像や音声データをモニタリングすることが可能である（例えば、特許文献１参照）。また、ネットワークセキュリティの観点から、データの送受信を行う際は、接続先を限定することで不正なアクセスや不要なメールの送受信を防いだりすることも一般的である。
【０００３】
しかしながら、接続先を限定したネットワーク接続システムにおいて、端末側の機器のネットワークアドレスが変更された場合、いかにして新しいネットワークアドレスの通知先を限定するかという点で問題があった。
【０００４】
こうした問題に対して、通知が必要な相手のみに新しいネットワークアドレスを通知する方法が提案されている（例えば、特許文献２参照）。この従来技術は、サーバ上にアドレス変更者の旧ネットワークアドレスを公開すると共に、新しいネットワークアドレスを非公開とするホームページを有するシステムであって、このホームページにアクセスしてきた者がネットワークアドレス変更者の新しいネットワークアドレスの入手を希望した場合、その旨をネットワークアドレス変更者に通知し、ネットワークアドレス変更者は、ホームページにアクセスしてきた新ネットワークアドレス入手希望者に対し、入手希望に対する許否判断の結果をホームページを通して通知するといったものである。以下、この従来技術、すなわち、電子メールアドレスの変更通知システムについて、図８を参照しながら説明する。
【０００５】
メールアドレスを変更したユーザ（メールアドレス変更者）は、自分の端末８０１からインターネット８１０を介してWWWサーバ８０２にアクセスし、Webで旧メールアドレス、新メールアドレス等を入力し、そのデータをデータベース８０３へ登録する。WWWサーバ８０２上のWebホームページでは、メールアドレス変更者の「旧メールアドレス」のみが公開される。これにより、一般ユーザは、自分のユーザ端末８０４からWWWサーバ８０３のホームページ上に公開されている旧メールアドレスを見て、メールアドレスの変更があったことを知ることができる。
【０００６】
メールアドレス変更者の新メールアドレスの入手を希望する一般ユーザ（新メールアドレス入手希望者）は、自己のメールアドレス、およびメールアドレス変更者の新メールアドレスの入手を希望する旨のメッセージをWebで入力する。
【０００７】
WWWサーバ８０２は、メールアドレス変更者の新メールアドレスへ、この新メールアドレス入手希望者のメールアドレスおよびメッセージをメールで通知し、メールアドレス変更者に対し、新メールアドレス入手希望者に新メールアドレスを通知することを許すか否かの判断（許否判断）の入力を依頼する。
【０００８】
メールアドレス変更者は、新メールアドレス入手希望者に自己の新メールアドレスを通知して良いと判断した場合には許可する旨を入力し、自己の新アドレスを通知したくないと判断した場合には拒否する旨を入力し、WWWサーバ８０２を介して新メールアドレス入手希望者に許否判断の結果を通知する。
【０００９】
このようにして、メールアドレス変更者が、新メールアドレス入手希望者に自己の新メールアドレスを通知するか否かの許否判断を行うことができるため、自己の電子メールアドレスを変更した場合に、新しいメールアドレスを伝えたい相手のみに漏れなく伝えるようにし、且つ伝えたくない相手には新メールアドレスを伝えないようにすることが可能となる。
【特許文献１】特開２００３−１０２００３号公報
【発明の開示】
【発明が解決しようとする課題】
【００１０】
しかしながら、上記従来技術では、メールアドレス変更者が、該メールアドレス変更者の新メールアドレス入手希望者に対して新メールアドレス通知の許否判断を行うために、Web上にサーバをわざわざ立ち上げる必要がある。また、サーバ上に電子メールアドレスを登録しておくための高度なセキュリティ対策も必要である。
【００１１】
本発明は、上記の課題を解決するためになされたものであり、接続先が限定されているネットワーク接続システムにおいて、端末側でネットワークアドレスが変更された場合に、ホスト側に登録されている接続先ネットワークアドレスを自動的に変更することができるネットワーク接続システムを提供することを目的とする。
【課題を解決するための手段】
【００１２】
上記従来の課題を解決するために、本発明の請求項１にかかるネットワーク接続システムは、ネットワーク端末機器のネットワークアドレスを予め格納する接続先テーブルと、ネットワーク上で送受信するためのデータを作成するデータ作成部と、ネットワークを介して送信された送信データを記憶する送信データ記憶部と、上記接続先テーブルにネットワークアドレスが格納されているネットワーク端末機器のみをネットワークを介して接続する接続制御部と、を有するネットワーク機器と、ネットワークを介して上記ネットワーク機器より受信したデータを記憶する受信データ記憶部を有するネットワーク端末機器とがネットワークを介して接続されるネットワーク接続システムであって、上記ネットワーク端末機器側では、ユーザがネットワーク端末機器のネットワークアドレスを変更すると、ユーザからの指示に従って上記受信データ記憶部に記憶している受信データ、及び変更後のネットワークアドレスを上記ネットワーク機器に送信し、上記ネットワーク機器側は、上記ネットワーク端末機器より送信されてきた上記受信データ、及びネットワークアドレスを上記送信データ記憶部、及び上記接続先テーブルのデータと照合し、ネットワークアドレスのみが異なる場合は上記ネットワーク端末機器のネットワークアドレスが変更されたと判断し、上記接続先テーブルに格納されているネットワークアドレスの書き換えを行う、ことを特徴とするものである。
【００１３】
また、本発明の請求項２にかかるネットワーク接続システムは、ネットワーク端末機器のネットワークアドレスを予め格納する接続先テーブルと、ネットワーク上で送受信するためのデータを作成するデータ作成部と、ネットワークを介して送信された送信データを記憶する送信データ記憶部と、上記接続先テーブルにネットワークアドレスが格納されているネットワーク端末機器のみをネットワークを介して接続する接続制御部と、を有するネットワーク機器と、ネットワークを介して上記ネットワーク機器より受信したデータを記憶する受信データ記憶部と、自機器のネットワークアドレスが変更されたことを検出するアドレス変更検出部と、を有するネットワーク端末機器とがネットワークを介して接続されるネットワーク接続システムであって、上記ネットワーク端末機器側では、上記アドレス変更検出部にてネットワークアドレスが変更されたことを検出したとき、上記受信データ記憶部に記憶している受信データを、変更されたネットワークアドレスと共に上記ネットワーク機器へ送信し、上記ネットワーク機器側では、上記ネットワーク端末機器より送信されてきた上記受信データ、及びネットワークアドレスを上記送信データ記憶部、及び上記接続先テーブルのデータと照合し、ネットワークアドレスのみが異なる場合は上記ネットワーク端末機器のネットワークアドレスが変更されたと判断し、上記接続先テーブルに格納されているネットワークアドレスの書き換えを行う、ことを特徴とするものである。
【００１４】
また、本発明の請求項３にかかるネットワーク接続システムは、請求項１または請求項２記載のネットワーク接続システムにおいて、上記ネットワークアドレスは、ＩＤもしくは、識別情報であることを特徴とするものである。
【００１５】
また、本発明の請求項４にかかるネットワーク接続システムは、請求項１または請求項２記載のネットワーク接続システムにおいて、上記ネットワークアドレスは、ＩＰアドレスであることを特徴とするものである。
【００１６】
また、本発明の請求項５にかかるネットワーク接続システムは、請求項１または請求項２記載のネットワーク接続システムにおいて、上記ネットワークアドレスは、電子メールアドレスであることを特徴とするものである。
【００１７】
また、本発明の請求項６にかかるネットワーク接続システムは、請求項１ないし請求項５のいずれか１項に記載のネットワーク接続システムにおいて、上記ネットワーク機器と上記ネットワーク端末機器との間のデータの送受信は、電子メールにより行うことを特徴とするものである。
【００１８】
また、本発明の請求項７にかかるネットワーク接続システムは、請求項１ないし請求項５のいずれか１項に記載のネットワーク接続システムにおいて、上記ネットワーク機器と上記ネットワーク端末機器との間のデータの送受信は、ファイル転送により行うことを特徴とするものである。
【００１９】
また、本発明の請求項８にかかるネットワーク接続システムは、請求項１ないし請求項５のいずれか１項に記載のネットワーク接続システムにおいて、上記ネットワーク機器と上記ネットワーク端末機器との間のデータの送受信は、ハイパーテキスト言語で記述されたホームページを介したデータ転送により行うことを特徴とするものである。
【００２０】
また、本発明の請求項９にかかるネットワーク接続システムは、請求項１ないし請求項８のいずれか１項に記載のネットワーク接続システムにおいて、上記データ作成部で作成されるデータは、動画像データであることを特徴とするものである。
【００２１】
また、本発明の請求項１０にかかるネットワーク接続システムは、請求項１ないし請求項８のいずれか１項に記載のネットワーク接続システムにおいて、上記データ作成部で作成されるデータは、静止画像データであることを特徴とするものである。
【００２２】
また、本発明の請求項１１にかかるネットワーク接続システムは、請求項１ないし請求項８のいずれか１項に記載のネットワーク接続システムにおいて、上記データ作成部で作成されるデータは、音声データであることを特徴とするものである。
【００２３】
また、本発明の請求項１２にかかるネットワーク接続システムは、請求項１ないし請求項８のいずれか１項に記載のネットワーク接続システムにおいて、上記データ作成部で作成されるデータは、テキストデータであることを特徴とするものである。
【００２４】
また、本発明の請求項１３にかかるネットワーク接続システムは、請求項１ないし請求項８のいずれか１項に記載のネットワーク接続システムにおいて、上記データ作成部で作成されるデータは、動画像データ、静止画像データ、音楽データ、テキストデータのうちの２つ以上の組み合わせであることを特徴とするものである。
【００２５】
また、本発明の請求項１４にかかるネットワーク接続システムは、請求項９または請求項１０記載のネットワーク接続システムにおいて、上記画像データは、データ作成時に画像の一部に認証用のデータを付加したデータであることを特徴とするものである。
【発明の効果】
【００２６】
本発明のネットワーク接続システムによれば、ネットワーク端末機器のネットワークアドレスを予め格納する接続先テーブルと、ネットワーク上で送受信するためのデータを作成するデータ作成部と、ネットワークを介して送信された送信データを記憶する送信データ記憶部と、上記接続先テーブルにネットワークアドレスが格納されているネットワーク端末機器のみをネットワークを介して接続する接続制御部と、を有するネットワーク機器と、ネットワークを介して上記ネットワーク機器より受信したデータを記憶する受信データ記憶部を有するネットワーク端末機器とがネットワークを介して接続されるネットワーク接続システムであって、上記ネットワーク端末機器側では、ユーザがネットワーク端末機器のネットワークアドレスを変更すると、ユーザからの指示に従って上記受信データ記憶部に記憶している受信データ、及び変更後のネットワークアドレスを上記ネットワーク機器に送信し、上記ネットワーク機器側は、上記ネットワーク端末機器より送信されてきた上記受信データ、及びネットワークアドレスを上記送信データ記憶部、及び上記接続先テーブルのデータと照合し、ネットワークアドレスのみが異なる場合は上記ネットワーク端末機器のネットワークアドレスが変更されたと判断し、上記接続先テーブルに格納されているネットワークアドレスの書き換えを行うようにしたので、端末側のネットワークアドレスが変更された場合、ネットワークアドレスの変更を登録するためのサーバやその他の煩雑な手続きなしで接続先デーブルに記憶されているネットワークアドレスの書き換えをネットワーク機器側で自動的に行うことができ、さらに従来のようにネットワーク上のサーバにネットワークアドレスを登録する必要がないため、ネットワークセキュリティ上の観点からも効果がある。
【００２７】
また、本発明のネットワーク接続システムによれば、ネットワーク端末機器のネットワークアドレスを予め格納する接続先テーブルと、ネットワーク上で送受信するためのデータを作成するデータ作成部と、ネットワークを介して送信された送信データを記憶する送信データ記憶部と、上記接続先テーブルにネットワークアドレスが格納されているネットワーク端末機器のみをネットワークを介して接続する接続制御部と、を有するネットワーク機器と、ネットワークを介して上記ネットワーク機器より受信したデータを記憶する受信データ記憶部と、自機器のネットワークアドレスが変更されたことを検出するアドレス変更検出部と、を有するネットワーク端末機器とがネットワークを介して接続されるネットワーク接続システムであって、上記ネットワーク端末機器側では、上記アドレス変更検出部にてネットワークアドレスが変更されたことを検出したとき、上記受信データ記憶部に記憶している受信データを、変更されたネットワークアドレスと共に上記ネットワーク機器へ送信し、上記ネットワーク機器側では、上記ネットワーク端末機器より送信されてきた上記受信データ、及びネットワークアドレスを上記送信データ記憶部、及び上記接続先テーブルのデータと照合し、ネットワークアドレスのみが異なる場合は上記ネットワーク端末機器のネットワークアドレスが変更されたと判断し、上記接続先テーブルに格納されているネットワークアドレスの書き換えを行うようにしたので、端末側のネットワークアドレスが変更された場合、接続先テーブルに登録されているネットワーク端末機器のネットワークアドレスの変更を自動的にネットワーク機器側で知ることができ、その結果、ネットワークアドレスの変更を登録するサーバやその他の煩雑な手続きなしでネットワークアドレスの書き換えを自動的に行うことができ、さらにネットワーク上のサーバにネットワークアドレスを登録する必要がないため、ネットワークセキュリティ上の観点からも効果がある。
【発明を実施するための最良の形態】
【００２８】
以下に、本発明の実施の形態について図面を参照しながら説明する。なお、ここで示す実施の形態は、あくまでも一例であって必ずしもこの実施の形態に限定されるものではない。
【００２９】
（実施の形態１）
以下、本発明の実施の形態１に係るネットワーク接続システムについて図２から図６を用いて説明する。
【００３０】
本実施の形態１に係るネットワーク接続システムは、ホスト側に監視カメラシステムを設置し、監視カメラで撮影した映像データをネットワークを介してメールで定期的に端末側である携帯端末に送信するシステムである。ホスト側に設置される監視カメラシステムには、予め接続先テーブル部に接続先のメールアドレスなどのネットワークアドレスを登録しておき、この接続先テーブル部に登録されているネットワークアドレス以外の接続先からのネットワークアクセスは基本的に拒否する。こうしたシステムにおいて、端末側である携帯端末のネットワークアドレスを変更した場合、ホスト側である監視カメラシステムから、接続先テーブル部に登録されているネットワークアドレスに監視カメラで撮影した映像データを送信しても端末側である携帯端末のネットワークアドレスは変更されているためデータ送信ができない。また、端末側である携帯端末からホスト側である監視カメラシステムに対し、ネットワークアドレスを変更した旨のメールを送信しても監視カメラシステムでは、接続先テーブル部に登録されているネットワークアドレス以外からの受信を制限しているため、端末側からホスト側への送信もできなくなる。以下にこの場合の動作について図２から図６を用いて説明する。
【００３１】
図２は、本発明の実施の形態１におけるネットワーク接続方法のホスト側および端末側のブロック図である。
図２において、ホスト側である監視カメラシステムは、データ作成部２０１と、データ記憶部２０２と、照合部２０３と、接続先テーブル部２０４と、ネットワーク接続部２０５とから構成されている。
【００３２】
上記データ作成部２０１は、データを作成するものであり、本実施の形態１の場合、監視カメラに相当し、監視用の映像を撮影する部分である。上記データ記憶部２０２は、端末側に送信したデータを記憶するものであり、どの端末に対してどの映像データを送信したのかを記憶しておく部分である。上記照合部２０３は、端末側からのデータ受信時に、その端末のネットワークアドレス（メールアドレス）が接続先テーブル部２０４に登録されているか否かの照合、及び端末側から送られてきたデータとデータ記憶部２０２に記憶されているデータとの照合、を行う部分である。上記ネットワーク接続部２０５は、インターネット２１０を介しデータの送受信を行う部分である。
【００３３】
端末側である携帯端末は、データ作成部２０６と、アドレス変更検出部２０７と、データ記憶部２０８と、ネットワーク接続部２０９とから構成されている。
【００３４】
上記データ作成部２０６は、携帯端末のネットワークアドレス（メールアドレス）が変更された場合、該ネットワークアドレス（メールアドレス）の変更直前にホスト側から送信された映像データをデータ記憶部２０８から取り出し、ホスト側へ送信する準備を行う部分である。上記アドレス変更検出部２０７は、携帯端末のネットワークアドレス（メールアドレス）が変更されたことを検出する部分である。上記データ記憶部２０８は、ホスト側から送信された映像データを記憶する部分である。上記ネットワーク接続部２０９は、インターネット２１０を介しデータの送受信を行う部分である。
【００３５】
なお、ホスト側と端末側は、インターネット２１０を介し、メールにて映像データの送受信を行う。
【００３６】
以上のように構成されたネットワーク接続システムについて、以下その動作、作用を説明する。
【００３７】
端末側において、アドレス変更検出部２０７では、携帯端末のネットワークアドレス（メールアドレス）が変更されたことを検出すると、その旨をデータ作成部２０６へ通知する。そして、データ作成部２０６では、携帯端末のネットワークアドレス（メールアドレス）が変更される直前にホスト側から送られてきた映像データをデータ記憶部２０８から取り出し、そのデータをメールに添付して、ネットワーク接続部２０９を介してホスト側へ送信する。
【００３８】
ホスト側において、ネットワーク接続部２０５を介して端末側より送信されたメールおよびデータを受信すると、照合部２０３では、そのメールおよびデータの送信元である携帯端末のネットワークアドレス（メールアドレス）が接続先テーブル部２０４に登録されているか否かをチェックする。
【００３９】
上記携帯端末のネットワークアドレス（メールアドレス）が接続先テーブル部２０４に登録されていない場合は、端末側から送付されたメールに添付されている映像データがデータ記憶部２０２に記憶されているデータと一致するか否かをチェックする。端末側から送付されたデータとデータ記憶部２０２にあるデータが一致した場合、その映像データの送信元である携帯端末のネットワークアドレス（メールアドレス）が分かるので、接続先テーブル部２０４に登録されているネットワークアドレス（メールアドレス）の中から同じネットワークアドレス（メールアドレス）を検出し、該検出したネットワークアドレス（メールアドレス）を上記映像データの送信元である携帯端末のネットワークアドレス（メールアドレス）に書き換える。このようにすれば、接続先を限定したネットワーク接続システムにおいて、端末側のメールアドレスが変更された場合でも容易かつ安全に予め登録している接続先のメールアドレスを新しいメールアドレスに変更することが可能となる。
【００４０】
なお、ここでは、ホスト側の処理も端末側の処理も自動的に行う場合について説明したが、端末側の処理をユーザが手動で行っても良い。この場合のネットワークアドレス接続システムは、図１に示すように構成され、携帯端末のネットワークアドレスを変更した場合に、旧ネットワークアドレスで受信したデータを新ネットワークアドレスでホストに送信する処理をユーザが行うものであり、ホスト側の処理は上記と同様であるため、詳細な説明は割愛する。
【００４１】
次に、接続先を限定したネットワーク接続システムにおいて端末側のネットワークアドレス（メールアドレス）が変更された場合のホスト側の処理を図３を用いて説明する。
まず、端末側からインターネット２１０を介してアクセスがあったかどうかを監視し（ステップＳ３０１）、アクセスがあった場合は、そのアクセスが接続先テーブル部２０４に登録されているネットワークアドレス（メールアドレス）を有する端末からのものであるか否かをチェックする（ステップＳ３０２）。
【００４２】
接続先テーブル部２０４に登録されているネットワークアドレス（メールアドレス）を有する端末からのアクセスであれば、アクセスを許可し、送付されたメールを受信する（ステップＳ３０７）。一方、接続先テーブル部２０４に登録されていないネットワークアドレス（メールアドレス）を有する端末からのアクセスであれば、上記端末側から受信したメール等に添付データが有るか否かをチェックする（ステップＳ３０３）。
【００４３】
上記端末側から受信したメール等に添付データがない場合は、アクセスを拒否する（ステップＳ３０８）。一方、添付データがある場合は、該添付データとデータ記憶部２０２に記憶されているデータとを照合し（ステップＳ３０４）、添付データとデータ記憶部２０２のデータが一致するか否かをチェックする（ステップＳ３０５）。
【００４４】
データが一致しない場合は、アクセスを拒否する（ステップＳ３０９）。一方、データが一致する場合は、アクセスを許可し、接続先テーブル部２０４から上記データ記憶部２０２の映像データの送付先ネットワークアドレス（メールアドレス）を検出し、該検出したネットワークアドレス（メールアドレス）を上記端末側のネットワークアドレス（メールアドレス）に変更する。
【００４５】
次に、接続先を限定したネットワーク接続システムにおいて端末側のネットワークアドレス（メールアドレス）が変更された場合の端末側の処理を図４を用いて説明する。
【００４６】
まず、ネットワークアドレス（メールアドレス）が変更されたかどうかを監視し（ステップＳ４０１）、ネットワークアドレス（メールアドレス）が変更されたことを検出すると、データ記憶部２０８からデータを取り出す。このデータとは、ネットワークアドレス（メールアドレス）を変更する直前にホスト側から送信された映像データのことである。
【００４７】
そして、取り出した映像データをメールに添付し（ステップＳ４０３）、ホスト側へ送信する（ステップＳ４０４）。
【００４８】
図５は、ホスト側である監視カメラシステムの接続先テーブル部に格納されている接続先テーブルの一例である。図５に示すように、接続先テーブル部には、この監視カメラシステムに接続可能なネットワークアドレスが登録されている。このテーブルには、接続先のネットワークアドレス（メールアドレス）のみを記しているが、送信先と受信先を別々に登録することも可能である。
【００４９】
図６は、ホスト側である監視カメラシステムのデータ記憶部の記憶状況を表す送信データテーブルの一例である。図６に示すように、データ記憶部には、この監視カメラシステムから各接続先に送付したデータを記憶している。監視カメラシステムであるため、監視データはすべて記憶してあるが、このテーブルには各接続先毎に、送信した最終の監視データを記憶してある。
【００５０】
端末側のネットワークアドレスが変更された場合、端末側からは、ネットワークアドレスを変更する直前にホスト側から送られてきたデータをホスト側へ送付してくるため、ホスト側の照合部において、図６に示すテーブルを元に、データの照合を行い、一致したデータのアドレスを割り出し、接続先テーブルのネットワークアドレス（メールアドレス）を変更する。
【００５１】
例えば、メールアドレスabac157@dococo.ne.jpを有する端末Ａのメールアドレスがaaaa157@dococo.ne.jpに変更された場合、端末Ａは、メールアドレスを変更する直前にホストから送られてきたデータを添付して新しいメールアドレスaaaa157@dococo.ne.jpでホストにメールを送る。ホスト側は、照合部において、図５に示す接続先テーブルにaaaa157@dococo.ne.jpというメールアドレスが登録されていないことを確認すると、添付データをデータ記憶部にある図６の送信データテーブルに記されたデータと照合する。この場合、添付データは、ホスト側がメールアドレスaaaa157@dococo.ne.jpを有する端末に送信したデータと一致するので、このaaaa157@dococo.ne.jpというメールアドレスは、以前abac157@dococo.ne.jpというメールアドレスであったことがわかる。そうして、ホスト側では、接続先テーブルナンバー0001であるメールアドレスabac157@dococo.ne.jpをaaaa157@dococo.ne.jpと書き換えることが可能となり、端末Ａは以前と変わらずホスト側の監視カメラシステムから監視データを受けとることが可能となる。このように、ホスト側と端末側で送受信したデータを用いることで、接続先を限定したネットワーク接続システムにおいて端末側のネットワークアドレス（メールアドレス）が変更された場合も容易かつ安全にホスト側の接続先テーブルを変更することが可能となる。
【００５２】
このような実施の形態１によるネットワーク接続システムでは、端末側のネットワークアドレスが変更された場合、端末側は、旧ネットワークアドレスで受信したデータを新ネットワークアドレスでホストに送信し、ホスト側は照合部２０３においてデータ記憶部１０２に記憶されている送信データテーブルにあるデータを照合し、一致した場合、接続先テーブル部２０４に登録されている旧ネットワークアドレスを新ネットワークアドレスに変更するようにしたので、接続先を限定したネットワーク接続システムにおいて、端末側のメールアドレスが変更された場合でも容易かつ安全に予め登録している接続先のメールアドレスを新しいメールアドレスに変更することが可能となる。
【００５３】
なお、実施の形態１では、ネットワークアドレスを電子メールアドレスとしたが、ネットワークアドレスは、接続先を限定できるものであれば、ＩＤもしくは識別情報、電話番号、ＩＰアドレスといったものでもよい。
【００５４】
また、実施の形態１では、監視データをメールにて配信するとしたが、ホストからのデータはメールによるデータ送信だけでなく、ftp等に代表されるファイル転送でもよいし、ホームページのようなネットワーク上からのデータダウンロードの形態でもよい。
【００５５】
また、実施の形態１では、ホストから配信されるデータを監視カメラからのデータとしているが、このデータは静止画、動画のどちらでもよいし、音声データ、テキストデータなどのデータであっても同じ効果が得られる。
【００５６】
（実施の形態２）
以下、本発明の実施の形態２によるネットワーク接続システムについて図２から図７を用いて説明する。なお、図２から図６までは、上記実施の形態１と同様であるのでその説明を割愛する。
【００５７】
上記実施の形態１では、ホスト側から端末に送信する映像データは、それぞれ固有のユニークなものであるが、同じ映像データを複数の端末に送信するとその端末がネットワークアドレスを変更し映像データを添付してネットワークアドレスの変更を通知した場合、同じ映像データが存在するため、送信データテーブルからネットワークアドレスを特定できなくなってしまう。そこで、本実施の形態２では、映像データを各ネットワークアドレス固有のユニークなデータとなるよう処理するようにした。以下、その処理について図７を用いて説明する。図７は、ホスト側である監視カメラシステムのデータ作成部におけるデータの作成処理を示すフローチャートである。
【００５８】
まず、データ作成部２０１で監視カメラにより撮影する（ステップＳ７０１）。そして、撮影された映像データの最終マクロブロック部分のデータを検出し（ステップＳ７０２）、検出した最終マクロブロック部分に含まれる色差成分を取り出す（ステップＳ７０３）。
【００５９】
その後、取り出した最終マクロブロックの色差成分と、その映像データの送信元であるネットワークアドレス（メールアドレス）を登録した接続先テーブルのテーブルNo.（接続先テーブルの例は図５に示す。）の排他的論理和を取る（ステップＳ７０４）。そして、得られた値を、元の映像データの最終マクロブロックの色差成分として埋め込み（ステップＳ７０５）、ＪＰＥＧ圧縮を行う（ステップＳ７０６）。
【００６０】
こうして得た映像データは、画像の最終マクロブロック部分の色差成分が若干異なるものの、監視映像データとしての機能には影響はない。そのうえ、映像データそのものに接続先テーブルのテーブルNo.が埋め込まれているため、同一時刻、同一カメラで撮影された監視映像データを複数の端末に送った場合も、各端末ごとに必ずユニークな映像データとなり、端末側のネットワークアドレス（メールアドレス）が変更された場合も、ホスト側から送られてきた映像データを添付することにより、ホスト側の送信データテーブルから容易に旧接続先ネットワークアドレス（メールアドレス）を検索することが可能となる。
【００６１】
このような実施の形態２によるネットワーク接続システムでは、監視カメラにより撮影された映像データを複数の端末に送信する場合、各端末毎にユニークな映像データを作成して送信するようにしたので、ホスト側に登録されている接続先ネットワークアドレスの変更処理を正確に行うことができる。
【産業上の利用可能性】
【００６２】
本発明にかかるデータ送受信を伴うネットワーク接続システムは、接続先を限定することでセキュリティを高めるネットワーク接続方法において端末側のネットワークアドレスを変更した場合、変更直前にホスト側から送られた映像データを送り返すことで、ホスト側の接続先を容易かつ安全に変更することができ、しかも複雑な暗号化システムやネットワークアドレス変更を通知するためのサーバも一切不要であるという効果を有し、接続先を限定することでセキュリティを高めるネットワーク接続システムとして有用である。
【図面の簡単な説明】
【００６３】
【図１】本発明の監視カメラシステムの一例を示すブロック図である。
【図２】本発明の実施の形態１、２によるネットワーク接続システムの一例を示すブロック図である。
【図３】本発明の実施の形態１、２のネットワーク接続システムにおける、ホスト側の制御の流れを表すフローチャート図である。
【図４】本発明の実施の形態１、２のネットワーク接続システムにおける、端末側の制御の流れを表すフローチャート図である。
【図５】本発明の実施の形態１、２のネットワーク接続システムにおける、ホスト側の接続先テーブル部に格納されている接続先テーブルの一例を表す図である。
【図６】本発明の実施の形態１、２のネットワーク接続システムにおける、ホスト側のデータ記憶部に格納されている送信データテーブルの一例を表す図である。
【図７】本発明の実施の形態２のネットワーク接続システムにおける、映像データ作成時の処理の流れを表すフローチャート図である。
【図８】従来例における電子メールアドレスの変更通知システムの構成図である。
【符号の説明】
【００６４】
１０１、２０１、２０６  データ作成部
１０２、２０２、２０８  データ記憶部
１０３、２０３  照合部
１０４、２０４  接続先テーブル部
１０５、２０５、２０９  ネットワーク接続部
１０６  ２１０  インターネット
２０７  アドレス変更検出部
【図１】
2005204228.tif 000003
【図２】
2005204228.tif 000004
【図３】
2005204228.tif 000005
【図４】
2005204228.tif 000006
【図５】
2005204228.tif 000007
【図６】
2005204228.tif 000008
【図７】
2005204228.tif 000009
【図８】
2005204228.tif 000010